(57)【要約】【課題】背ボトムの起立動作時に背ボトムをベッドのヘッド側にスライド移動させるようにした機構を最小の部品点数をもってより合理的に構成可能とする。【解決手段】フレーム２に備えられたベッドの長さ方向に延びるレール部３と、背ボトム１’におけるベットのフット側Ｆの端部に備えられてレール部３に案内される被案内部１ａと、レール部３よりもベッドのヘッド側Ｈにおいてフレーム２に架設された駆動軸４から延び出しすリフトアーム体５と、駆動軸４から延び出す連係アーム体１２と、連係アーム体１２と背ボトム１’とを連係するリンク体１３とを備える。駆動軸４が正転されたときに、摺接部５ａを上方に移動させるリフトアーム体５によって被案内部１ａを中心として背ボトム１’が起立されると共に、背ボトム１’が所定の起立位置に至った以降において連係アーム体１２によって背ボトム１’の被案内部１ａがベッドのヘッド側Ｈに移動される。【選択図】図６
2015000192.tif 000002
【特許請求の範囲】
【請求項１】
ベッドを構成するボトムを支持するフレームに備えられたベッドの長さ方向に延びるレール部と、
前記ボトムを構成する背ボトムにおけるこのベットのフット側の端部に備えられて前記レール部に案内される被案内部と、
前記レール部よりもベッドのヘッド側において前記フレームに架設された駆動軸から延び出してその延び出し端を前記背ボトムの裏面部に対する摺接部とするリフトアーム体と、
前記駆動軸から延び出す連係アーム体と、
前記連係アーム体の延び出し端と背ボトムとを連係するリンク体とを備え、
駆動手段により前記駆動軸が正転されたときに、摺接部を上方に移動させるリフトアーム体によって前記被案内部を中心として前記背ボトムが起立されると共に、少なくとも背ボトムが所定の起立位置に至った以降において前記連係アーム体によって背ボトムの被案内部がベッドのヘッド側に移動されるようになっていることを特徴とする電動ベッドの背ボトムの動作機構。
【請求項２】
連係アーム体とリンク体とは、両者の一方に設けた長孔に、両者の他方に設けた被ガイド部を納めて組み合わされており、背ボトムが所定の起立位置に至った以降において連係アーム体の移動に追随してリンク体が移動するようになっていることを特徴とする請求項１に記載の電動ベッドの背ボトムの動作機構。
【発明の詳細な説明】
【技術分野】
【０００１】
この発明は、電動ベッドのボトムの一部となる背ボトムを、伏倒位置と所定の起立位置とに亘る起伏動作させるために電動ベッドに適用される動作機構の改良に関する。
【背景技術】
【０００２】
背ボトムを起立させる機能を備えた電動ベッドにおいて、背ボトムを固定された一つの軸を中心に単純に起立動作させるようにしてしまうと、背ボトムの起立量が増えるに従ってボトム上に載置されるマットレスの屈曲中心がベッドのフット側にシフトしてしまうため、前記起立動作時にベッド利用者の腹部に圧迫感を与えてしまう。こうしたことから、背ボトムの起立動作時に背ボトムをベッドのヘッド側にスライド移動させるようにした機構が提案されているところである。（特許文献１参照）
【先行技術文献】
【特許文献】
【０００３】
【特許文献１】特許第２９２７４１９号公報
【発明の概要】
【発明が解決しようとする課題】
【０００４】
この発明が解決しようとする主たる問題点は、背ボトムの起立動作時に背ボトムをベッドのヘッド側にスライド移動させるようにした機構を最小の部品点数をもってより合理的に構成可能とする点にある。
【課題を解決するための手段】
【０００５】
前記課題を達成するために、この発明にあっては、電動ベッドの背ボトムの動作機構を、ベッドを構成するボトムを支持するフレームに備えられたベッドの長さ方向に延びるレール部と、
前記ボトムを構成する背ボトムにおけるこのベットのフット側の端部に備えられて前記レール部に案内される被案内部と、
前記レール部よりもベッドのヘッド側において前記フレームに架設された駆動軸から延び出してその延び出し端を前記背ボトムの裏面部に対する摺接部とするリフトアーム体と、
前記駆動軸から延び出す連係アーム体と、
前記連係アーム体の延び出し端と背ボトムとを連係するリンク体とを備え、
駆動手段により前記駆動軸が正転されたときに、摺接部を上方に移動させるリフトアーム体によって前記被案内部を中心として前記背ボトムが起立されると共に、少なくとも背ボトムが所定の起立位置に至った以降において前記連係アーム体によって背ボトムの被案内部がベッドのヘッド側に移動されるようになっているものとした。
【０００６】
背ボトムが少なくとも所定の起立位置に至った以降は、この起立動作の中心である前記被案内部は背ボトムの起立量の増加に比例してベッドのヘッド側に移動される。これにより、この実施の形態にかかる動作機構によれば、簡素な構造、すなわち、最小の部品点数をもって、背ボトムの起立動作時においてこの背ボトム上に載置されるマットレスの屈曲中心がベッドのフット側へ移動しないようにすることができる。
【０００７】
前記連係アーム体とリンク体とを、両者の一方に設けた長孔に、両者の他方に設けた被ガイド部を納めて組み合わせ、背ボトムが所定の起立位置に至った以降において連係アーム体の移動に追随してリンク体が移動するようにしておくことが、この発明の好ましい態様の一つである。
【０００８】
前記駆動軸の正転開始と同時に、すなわち、背ボトムの起立動作開始と同時に、ベッドのヘッド側に背ボトムが移動を開始してしまうと、ベッドにヘッドボードがある場合、この起立動作開始の段階ではかかるヘッドボードと背ボトムにおけるベッドのヘッド側の端部との間の間隔が大きくなっていないため、背ボトムのこの端部とヘッドボードとの接触を生じさせてしまう。前記背ボトムが所定の起立位置に至った以降において連係アーム体の移動に追随してリンク体が移動するようにしておけば、ヘッドボードと背ボトムにおけるベッドのヘッド側の端部との間の間隔が背ボトムの起立により大きくなっていることから、背ボトムの前記端部とヘッドボードとの接触を生じさせることなく背ボトムをベッドのヘッド側に適切に移動させることが可能となる。
【発明の効果】
【０００９】
この発明によれば、背ボトムの起立動作時に背ボトムをベッドのヘッド側にスライド移動させるようにした機構を最小の部品点数をもってより合理的に構成することができ、したがってまた、この発明はかかる機構を備えた電動ベッドを低廉供給を可能とするものである。
【図面の簡単な説明】
【００１０】
【図１】図１は実施の形態にかかる電動ベッドの要部斜視構成図であり、背ボトムは起立位置にある。
【図２】図２は前記電動ベッドの要部斜視構成図であり、起立した背ボトムをベッドのヘッド側から見て示している。
【図３】図３は前記電動ベッドの要部をボトムの記載を省略して表した平面構成図である。
【図４】図４は前記電動ベッドの要部を表した側面構成図である。
【図５】図５は前記電動ベッドの背ボトムの支持部分を拡大して表した平面構成図である。
【図６】図６前記電動ベッドの背ボトムの支持部分を拡大して表した側面構成図であり、背ボトムは伏倒位置にある。
【図７】図７は前記電動ベッドの背ボトムの支持部分を図６と９０度異なる向きから見て拡大して表した側面構成図である。
【図８】図８前記電動ベッドの背ボトムの支持部分を拡大して表した側面構成図であり、背ボトムは所定の起立位置にある。
【図９】図９前記電動ベッドの背ボトムの支持部分を拡大して表した側面構成図であり、背ボトムは所定の起立位置を越えて起立している。
【図１０】図１０前記電動ベッドの背ボトムの支持部分を拡大して表した側面構成図であり、背ボトムは起立しきっている。
【発明を実施するための形態】
【００１１】
以下、図１〜図１０に基づいて、この発明の典型的な実施の形態について、説明する。この実施の形態にかかる動作機構は、電動ベッドのボトム１の一部となる背ボトム１’を、伏倒位置と所定の起立位置とに亘る起伏動作させるために電動ベッドに適用されるものである。
【００１２】
前記ボトム１はフレーム２に支持され、ボトム１上にマットレス（図示は省略する。）が載置される。前記フレーム２はさらに典型的には図示しないベースに昇降可能に支持される。図示の例では、フレーム２は、左右のサイドフレーム２ａ、２ａ間に、ベッドのヘッド側Ｈとフット側Ｆとにおいてそれぞれ、エンドバー２ｂを架設させた矩形枠状を呈している。（図３）図示の例では、前記ボトム１はマットレスを介してベッド上に横臥するベッド利用者の上半身を支持する前記背ボトム１’と、下半身側を支持するその余のボトム１”とから構成されている。（図１）各ボトム１はそれぞれ前記左右のサイドフレーム２ａ、２ａ間に亘る幅を備えた板状を呈している。
【００１３】
前記フレーム２には、ベッドの長さ方向に延びるレール部３が備えられている。図示の例ではレール部３は、サイドフレーム２ａの長さ方向略中程の位置よりややベッドのヘッド側Ｈによった位置において、左右のサイドフレーム２ａ、２ａ内側にそれぞれ設けられている。（図３）図示の例では、チャンネル材３ａの溝側と反対の背側をサイドフレーム２ａの内面に止着することでサイドフレーム２ａにチャンネル材３ａが取り付けられ、このチャンネル材３ａの溝が前記レール部３として機能するようになっている。
【００１４】
前記背ボトム１’は、前記レール部３に案内される被案内部１ａを備えている。かかる被案内部１ａは、背ボトム１’におけるベットのフット側Ｆの端部に備えられている。図示の例では、被案内部１ａは、背ボトム１’のフット側Ｆに向けられた辺１ｄと背ボトム１’の右辺１ｅとの間の隅部近傍においてこの右辺１ｅより突き出す軸部１ｃの突き出し端に備えられたローラ部１ｂ、及び、背ボトム１’のフット側Ｆに向けられた辺１ｄと背ボトム１’の左辺１ｆとの間の隅部近傍においてこの左辺１ｆより突き出す軸部１ｃの突き出し端に備えられたローラ部１ｂによって構成されている。そして、背ボトム１’とフレーム２とは、背ボトム１’の右側のローラ部１ｂを右側のサイドフレーム２ａに設けられたレール部３内に納め、かつ、背ボトム１’の左側のローラ部１ｂを左側のサイドフレーム２ａに設けられたレール部３内に納めて組み合わされている。これにより、背ボトム１’は、レール部３によって、ベッドの長さ方向に沿ったスライド移動と、被案内部１ａを中心とした回動とが可能になっている。
【００１５】
前記レール部３よりもベッドのヘッド側Ｈには、前記左右のサイドフレーム２ａ、２ａ間に駆動軸４が架設されている。駆動軸４はその軸線をベッドの左右方向に沿わせると共に、右側の軸端を右側のサイドフレーム２ａに回転可能に軸支され且つ左側の軸端を左側のサイドフレーム２ａに回転可能に軸支されている。図示の例では、ベッドの長さ方向略中程の位置において、前記左右のサイドフレーム２ａ、２ａ間にクロスバー２ｃが架設されている。そして、このクロスバー２ｃと駆動軸４との間に前記レール部３が位置されるようになっている。（図３）
【００１６】
前記駆動軸４は駆動手段６により回転されるようになっている。図示の例では、かかる駆動手段６は電動アクチュエータ６ａによって構成されている。図示の例では、かかる電動アクチュエータ６ａは可動部６ｂをベッドの長さ方向に沿って移動させる構成となっている。電動アクチュエータ６ａは図示しないコントロールユニットとコントローラを有し、前記可動部６ｂの移動は制御可能となっている。図示の例では、電動アクチュエータ６ａの本体６ｃは前記クロスバー２ｃに上下方向に揺動可能に枢支されている。前記可動部６ｂは、基部を前記駆動軸４の中間部に固定した連係腕体７の自由端にベッドの左右方向に軸中心線を沿わせたピン８を介して可動部６ｂの突き出し端を揺動可能に取り付けることで、駆動軸４に組み合わされている。これにより、図示の例では、背ボトム１’が伏倒位置にある状態から電動アクチュエータ６ａの可動部６ｂがベッドのヘッド側Ｈに往動移動すると駆動軸４が正転されて後述のリフトアーム体５によって背ボトム１’が起立するようになっている。なお、図３及び図４中、符号９は前記下半身側を支持するその余のボトム１”側を可動させるための電動アクチュエータであり、その可動部９ａのベッドのフット側Ｆへの移動により図中符号１０で示されるフット側Ｆの駆動軸が正転してこれに組み合わされたリフトアーム体１１により前記その余のボトム１”は全体として山形に屈曲するようになっている。
【００１７】
また、前記駆動軸４には、背ボトム１’が伏倒位置にある状態において、この駆動軸４に基部を固定させてこの駆動軸４からベッドのヘッド側Ｈに延び出して、その延び出し端を前記背ボトム１’の裏面部に対する摺接部５ａとするリフトアーム体５が備えられている。図示の例ではリフトアーム体５は駆動軸４の左右にそれぞれ設けられている。左右のリフトアーム体５の間において、駆動軸４に電動アクチュエータ６ａの前記可動部６ｂが前記のように組み合わされている。右側のリフトアーム体５と駆動軸４の右端及び左側のリフトアーム体５と駆動軸４の左端との間にはそれぞれ、間隔が形成されている。リフトアーム体５の延び出し端には、ベッドの左右方向に軸中心線を沿わせた軸体を介してローラ５ｂが回転可能に取り付けられている。そして、背ボトム１’の裏面部にこのローラ５ｂが常時接するようになっている。すなわち、図示の例では、かかるローラ５ｂが前記摺接部５ａとして機能するようになっている。
【００１８】
また、前記駆動軸４には、背ボトム１’が伏倒位置にある状態において、この駆動軸４に基部を固定させてこの駆動軸４からベッドのフット側Ｆに延び出す連係アーム体１２が備えられている。連係アーム体１２は駆動軸４の左右の端部にそれぞれ備えられている。
【００１９】
また、右側の連係アーム体１２は右側に配されたリンク体１３によって背ボトム１’と連係され、左側の連係アーム体１２は左側に配されたリンク体１３によって背ボトム１’と連係されている。かかるリンク体１３は、ベットのヘッド側Ｈに位置される端部１３ａを連係アーム体１２の延び出し端に回動可能に組み合わせると共に、ベッドのフット側Ｆに位置される端部１３ｂを背ボトム１’の被案内部１ａとなるローラ部１ｂを支持する軸部１ｃに回動可能に組み合わせて、連係アーム体１２と背ボトム１’との間に架設されている。図示の例では、リンク体１３はベッドの左右方向を厚さ方向とした細長い板状をなし、平面視の状態では連係アーム体１２の外側でサイドフレーム２ａの内側に位置されるようになっている。（図５）リンク体１３は、ベッドのヘッド側Ｈに位置される端部１３ａをベッドの左右方向に軸中心線を沿わせた軸状をなす後述の被ガイド部１５をもって連係アーム体１２の延び出し端に連係されると共に、ベッドのフット側Ｆに位置される端部に形成された貫通孔１３ｃに前記軸部１ｃを通して背ボトム１’と連係されている。
【００２０】
そして、前記駆動手段６により前記駆動軸４が正転されたときに、摺接部５ａを上方に移動させる向きに回動されるリフトアーム体５によって前記被案内部１ａを中心として前記背ボトム１’が起立されると共に、少なくとも背ボトム１’が所定の起立位置に至った以降において前記連係アーム体１２によって背ボトム１’の被案内部１ａがベッドのヘッド側Ｈに移動されるようになっている。
【００２１】
背ボトム１’が少なくとも所定の起立位置に至った以降は、この起立動作の中心である前記被案内部１ａは背ボトム１’の起立量の増加に比例してベッドのヘッド側Ｈに移動される。これにより、この実施の形態にかかる動作機構によれば、簡素な構造をもって、背ボトム１’の起立動作時においてこの背ボトム１’上に載置されるマットレスの屈曲中心がベッドのフット側Ｆへ移動しないようにすることができる。
【００２２】
具体的には、連係アーム体１２とリンク体１３とは、両者の一方に設けた長孔１４に、両者の他方に設けた被ガイド部１５を納めて組み合わされており、背ボトム１’が所定の起立位置に至った以降において連係アーム体１２の移動に追随してリンク体１３が移動するようになっている。
【００２３】
図示の例では、前記長孔１４はリンク体１３におけるベッドのヘッド側Ｈに位置される端部１３ａに形成されている。前記長孔１４は、かかるリンク体１３の長さ方向に沿い、かつ、かかるリンク体１３をその厚さ方向に貫通したスロット状を呈している。また、この長孔１４は、背ボトム１’が伏倒位置にある状態において、駆動軸４を中心とした仮想の円の円弧に沿うように形成されている。(図６)連係アーム体１２は、かかる長孔１４に連係アーム体１２の一部をなす被ガイド部１５を納めてリンク体１３と組み合わされている。図示の例では、かかる被ガイド部１５は連係アーム体１２の延び出し端に設けられた軸状を呈し、その外径は前記長孔１４の孔幅と略一致している。そして、背ボトム１’が起立前の伏倒位置にあるときは前記長孔１４のベッドのフット側Ｆの孔端に前記被ガイド部１５が位置されるようになっている。（図６）
【００２４】
前記駆動軸４の正転開始と同時に、すなわち、背ボトム１’の起立動作開始と同時に、ベッドのヘッド側Ｈに背ボトム１’が移動を開始してしまうと、ベッドにヘッドボードＨｂがある場合、（図４）この起立動作開始の段階ではかかるヘッドボードＨｂと背ボトム１’におけるベッドのヘッド側Ｈの端部との間の間隔ｘが大きくなっていないため、背ボトム１’のこの端部とヘッドボードとの接触を生じさせてしまう。前記背ボトム１’が所定の起立位置に至った以降において連係アーム体１２の移動に追随してリンク体１３が移動するようにしておけば、ヘッドボードＨｂと背ボトム１’におけるベッドのヘッド側Ｈの端部との間の間隔ｘが背ボトム１’の起立により大きくなっていることから、背ボトム１’の前記端部とヘッドボードとの接触を生じさせることなく背ボトム１’をベッドのヘッド側Ｈに適切に移動させることが可能となる。
【００２５】
図示の例では、前記長孔１４は背ボトム１’が伏倒位置にある状態において駆動軸４を中心とした仮想の円の円弧に沿うように形成されていることから、背ボトム１’の起立動作開始と同時にはリンク体１３は移動しない。リンク体１３のベッドのヘッド側Ｈに向けた移動は、長孔１４のベッドのヘッド側Ｈの孔縁に被ガイド部１５を至らせる所定の起立位置まで連係アーム体１２が回動した後に開始される。（図８）所定の起立位置を越える位置まで起立された背ボトム１’は、駆動軸４の逆転によりリフトアーム体５が摺接部５ａを下方に移動させる向きに回動されると自重により伏倒位置に向けた復帰回動を開始する。背ボトム１’が所定の起立位置を越えた起立位置にあるときは、長孔１４は駆動軸４を中心とした仮想の円の円弧に沿っていない。（図９、図１０）これにより、駆動軸４が逆転されると長孔１４のベッドのヘッド側Ｈの孔端に被ガイド部１５を位置させた状態で連係アーム体１２によりリンク体１３はベッドのフット側Ｆに向けて押され背ボトム１’もベットのフット側Ｆに向けて移動する。背ボトム１’が所定の起立位置に至ると、その後は長孔１４内での被ガイド部１５の移動が許容され、背ボトム１’の伏倒位置に向けた復動回動は継続するがベッドのフット側Ｆに向けたスライド移動は停止される。
【符号の説明】
【００２６】
１’  背ボトム
１ａ  被案内部
２  フレーム
３  レール部 
４  駆動軸
５  リフトアーム体
５ａ  摺接部
１２  連係アーム体
１３  リンク体
Ｆ  フット側
Ｈ  ヘッド側
【図１】
2015000192.tif 000003
【図２】
2015000192.tif 000004
【図３】
2015000192.tif 000005
【図４】
2015000192.tif 000006
【図５】
2015000192.tif 000007
【図６】
2015000192.tif 000008
【図７】
2015000192.tif 000009
【図８】
2015000192.tif 000010
【図９】
2015000192.tif 000011
【図１０】
2015000192.tif 000012